(57)【要約】【課題】材料をムダに廃棄することなく再利用でき、耐久性・絶縁性に優れ、製造容易かつ安価な絶縁端子カバーを得る。【解決手段】電気工事のケーブル接続直前の養生時、ケーブル撤去時におけるケーブル端子の不慮の接触を防止する、絶縁端子カバーにおいて、絶縁端子カバーの本体１をポリウレタン材料の絶縁シートで形成し、入口側端部となる端部部分２，２′を除き、少なくとも一方の長辺端縁１ａ，１ａ′相互および短辺端縁１ｂ，１ｂ′を融着して、細長い袋体を形成し、絶縁端子カバー本体１よりも薄くかつ幅の狭いポリウレタン絶縁シートによるストラップ片５を端部部分２′に固着し、ストラップ片によって端部部分を絞り込むよう巻き付けるとき、このストラップ片を端部部分に固着するよう、面ファスナを構成するループ素子４ａおよびフック素子４ｂを、端部部分２′およびストラップ片５に設ける。【選択図】図１
0003147883.tif 000002
【実用新案登録請求の範囲】
【請求項１】
電気工事におけるケーブル接続直前の養生時、またはケーブル撤去時におけるケーブル端子の不慮の接触を防止するよう、ケーブル端子に取り付ける絶縁端子カバーにおいて、前記絶縁端子カバーの本体をポリウレタン材料の絶縁シートで形成し、入口側端部となる端部部分を除いて、少なくとも一方の長辺端縁相互および短辺端縁を融着して、細長い袋体を形成し、絶縁端子カバー本体よりも薄くかつ幅の狭いポリウレタン材料の絶縁シートによるストラップ片を前記端部部分に固着し、前記ストラップ片によって前記端部部分を絞り込むよう巻き付けるとき、このストラップ片を前記端部部分に固着するよう、面ファスナを構成するループ素子およびフック素子を、それぞれ端部部分およびストラップ片に設けたことを特徴とする絶縁端子カバー。
【請求項２】
請求項１記載の絶縁端子カバーにおいて、前記絶縁端子カバー本体を、１枚のポリウレタン材料による絶縁シートの折り畳みにより形成した絶縁端子カバー。
【請求項３】
請求項１記載の絶縁端子カバーにおいて、ポリウレタン材料の絶縁シートによる表裏１対の本体細条を端縁が整列するよう重ね合わせ、前記入口側の端部部分を除いて、少なくとも一方の長辺端縁および他方の端部における短辺端縁で互いに融着して袋体を形成した絶縁端子カバー。
【請求項４】
請求項３記載の絶縁端子カバーにおいて、前記表裏１対の本体細条を同一形状にし、両側の長辺端縁および他方の端部における短辺端縁で互いに融着し、差し込みサック状の袋体とした絶縁端子カバー。
【請求項５】
請求項３記載の絶縁端子カバーにおいて、前記表裏１対の本体細条における一方の本体細条は、他方の本体細条よりも短辺長さが長い大きいサイズとし、一方の長辺端縁を整列させ、この整列した長辺端縁相互および短辺端縁相互のみをそれぞれ融着し、大きいサイズの本体細条を小さいサイズの本体細条上に折り返すとき両者を固着するよう、面ファスナを構成するループ素子およびフック素子を、それぞれ大きいサイズの本体細条および小さいサイズの本体細条の対向面に設け、横割れタイプの袋体とした絶縁端子カバー。
【請求項６】
請求項１〜５のうちいずれか一項に記載の絶縁端子カバーにおいて、前記ポリウレタン材料の絶縁シートを透明にした絶縁端子カバー。
【請求項７】
請求項４に記載の絶縁端子カバーにおいて、前記前記ポリウレタン材料の絶縁シートを蛍光着色シートとした絶縁端子カバー。
【請求項８】
請求項１〜７のうちいずれか一項に記載の絶縁端子カバーにおいて、前記端部部分の一方の側面中央にスリットを形成した絶縁端子カバー。
【請求項９】
請求項１〜８のうちいずれか一項に記載の絶縁端子カバーにおいて、前記端部部分を、ほぼ台形の先細形状にした絶縁端子カバー。
【考案の詳細な説明】
【技術分野】
【０００１】
本考案は、電気工事におけるケーブル接続直前の養生時、またはケーブル撤去時におけるケーブル端子の不慮の接触による短絡または感電事故を防止するよう、ケーブル端子に取り付ける絶縁端子カバーに関する。
【背景技術】
【０００２】
このような絶縁端子カバーとしては、単にビニールテープをケーブル端子に巻き付けることがよく行われていた。
ビニールテープ巻きの他には、端子部分が見える窓用透明ビニールを、透明ビニールとは異なる絶縁部材である他の部分に縫合して袋体に形成した絶縁端子カバーがある。（例えば、特許文献１参照。）
【０００３】
また、少なくとも先端部が透明なプラスチック材料を偏平に成形して、ケーブル端子に密着するようにした、第１絶縁カバーと、この第１絶縁カバー付きケーブル端子を収容する絶縁材料の袋状の第２絶縁カバーであって、端子部分が見えるように透明なポリ塩化ビニール製の窓を縫合した該第２絶縁カバーとよりなる、２部分構成のものがある。（例えば、特許文献２参照。）
【特許文献１】特開平１１−２３８５３５号公報
【特許文献２】特開２００１−２６６９６５号公報
【考案の開示】
【考案が解決しようとする課題】
【０００４】
しかし、ビニールテープ巻きのケーブル端子絶縁養生には、その後のケーブル端子接続のために、ビニールテープを剥ぎ取るため、剥ぎ取ったビニールテープは、再利用することはできず、廃棄処分しなければならず、材料のムダとなるものであった。
【０００５】
さらに、再利用可能な従来の絶縁端子カバーは、透明ビニールとは異なる絶縁材料に透明ビニール窓を縫合したり、２部分構成のものであったり、製造に時間とコストがかかるものであった。
【０００６】
したがって、本考案の目的は、材料をムダに廃棄することなく再利用でき、耐久性・絶縁性に優れ、製造容易かつ安価な絶縁端子カバーを得るにある。
【課題を解決するための手段】
【０００７】
この目的を達成するため、本考案は、絶縁端子カバーの本体をポリウレタン材料の絶縁シートで形成し、入口側端部となる端部部分を除いて、少なくとも一方の長辺端縁相互および短辺端縁を融着して、細長い袋体を形成し、絶縁端子カバー本体よりも薄くかつ幅の狭いポリウレタン材料の絶縁シートによるストラップ片を前記端部部分に固着し、前記ストラップ片によって前記端部部分を絞り込むよう巻き付けるとき、このストラップ片を前記端部部分に固着するための面ファスナを構成するループ素子およびフック素子を、それぞれ端部部分およびストラップ片に設けたことを特徴とする。
【考案の効果】
【０００８】
本考案によれば、絶縁端子カバーの本体をポリウレタン材料の絶縁シートで形成し、少なくとも一方の長辺端縁相互および短辺端縁を融着して、細長い袋体を形成するため、製造が容易であり、ストラップ片の巻き付け、取り外しによって、ケーブル端子への着脱が簡単であり、再利用が可能である。
またポリウレタン材料の絶縁シートで形成したため、耐摩耗性・衝撃強度に優れ、繰り返しの屈曲にも破損することがなく、さらに、耐油性、耐オゾン、耐薬品にも優れ、劣化が少なく、長期使用が可能である。
【考案を実施するための最良の形態】
【０００９】
本考案の実施形態においては、絶縁端子カバー本体を、１枚のポリウレタン材料による絶縁シートの折り畳みにより形成することができるが、より好適には、ポリウレタン材料の絶縁シートによる表裏１対の本体細条を端縁が整列するよう重ね合わせ、入口側の端部部分を除いて、少なくとも一方の長辺端縁および他方の端部における短辺端縁で互いに融着して袋体を形成する。
【００１０】
この場合、表裏１対の本体細条を同一形状にし、両側の長辺端縁および他方の端部における短辺端縁で互いに融着し、差し込みサック状の袋体とする。
または、表裏１対の本体細条における一方の本体細条は、他方の本体細条よりも短辺長さが長い大きいサイズとし、一方の長辺端縁を整列させ、この整列した長辺端縁相互および短辺端縁相互のみをそれぞれ融着し、大きいサイズの本体細条を小さいサイズの本体細条上に折り返すとき、閉じ合わせるよう面ファスナを構成するループ素子およびフック素子を、それぞれ大きいサイズの本体細条および小さいサイズの本体細条の対向面に設け、横割れタイプの袋体とする。
【００１１】
本考案の好適な実施形態による絶縁端子カバーは、ポリウレタン材料の絶縁シートを透明にし、また蛍光着色シートとする。さらに、好適には、端部部分の一方の側面中央にスリットを形成し、また端部部分を、ほぼ台形の先細形状にする。
つぎに、図面につき本考案の好適な実施例を説明する。
【実施例１】
【００１２】
図１は、本考案による第１実施例の絶縁端子カバーを示し、この場合、絶縁端子カバー本体を、１枚のポリウレタン材料（好適には、エーテル系）の絶縁シート１の折り畳みにより形成する。
【００１３】
このポリウレタン材料の絶縁シート１は、図面の表面が袋体の内面となるように、中心線Ｃに沿って左右が重なり合うよう折り畳み、互いに整列した長辺端縁１ａ，１ａ′相互および一方の短辺端縁１ｂ，１ｂ′相互のみを融着（例えば、高周波融着）し、入口端部となるほぼ台形形状の端部部分２，２′は融着せず、差し込みサック状の袋体とする。
【００１４】
一方の端部部分２の中央にスリット３を形成し、他方の端部部分２′の図面で見て裏面側には、面ファスナ４を構成するループ素子およびフック素子のうちの一方、例えば、ループ素子４ａを取り付ける。
【００１５】
さらに、他方の端部部分２′の図面で見て裏面側には、絶縁端子カバー本体よりも薄くかつ幅の狭いポリウレタン材料の絶縁シートによるストラップ片５を固着し、このストラップ片５には、面ファスナ４を構成するループ素子およびフック素子のうちの他方、例えば、フック素子４ｂを取り付ける。このストラップ片により、絶縁端子カバーに収納したケーブル端子の基部の周りを絞り込んで固定することができる。
【実施例２】
【００１６】
図２に示す本考案による絶縁端子カバーの第２実施例は、絶縁端子カバー本体の本体細条として、表裏１対の互いに同一形状であるポリウレタン材料の絶縁シート１，１′を用意し、一方のポリウレタン材料の絶縁シート１を、他方のポリウレタン材料の絶縁シート１′上に重ね合わせ、左右１対の長辺端縁１Ａ，１Ａ′、および１Ｂ，１Ｂ′相互、および一方の短辺端縁１ｂ，１ｂ′相互を、例えば、高周波融着によって融着し、入口端部となるほぼ台形形状の端部部分２，２′は融着せず、差し込みサック状の袋体とする。
【００１７】
この第２実施例は、図１の第１実施例と同様に、一方の端部部分２の中央にスリット３を形成し、他方の端部部分２′の図面で見て裏面側には、面ファスナ４を構成するループ素子およびフック素子のうちの一方、例えば、ループ素子４ａを取り付ける。
【００１８】
さらに、図１の第１実施例と同様に、他方の端部部分２′の図面で見て裏面側には、絶縁端子カバー本体よりも薄くかつ幅の狭いポリウレタン材料の絶縁シートによるストラップ片５を固着し、このストラップ片５には、面ファスナ４を構成するループ素子およびフック素子のうちの他方、例えば、フック素子４ｂを取り付ける。このストラップ片により、絶縁端子カバーに収納したケーブル端子の基部の周りを絞り込んで固定することができる。
【実施例３】
【００１９】
図３に示す本考案による絶縁端子カバーの第３実施例は、絶縁端子カバー本体の本体細条として、ポリウレタン材料の絶縁シートよりなる表裏１対の本体細条における一方の本体細条１は、他方の本体細条１′よりも短辺長さが長い大きいサイズとし、片側の長辺端縁１Ａ，１Ａ′が整列するよう、大きいサイズの本体細条１上に小さいサイズの本体細条１′を重ね合わせ、この整列した長辺端縁１Ａ，１Ａ′相互および短辺端縁１ｂ，１ｂ′相互のみをそれぞれ融着する。長辺端縁１Ｂ′は融着せず、開放したままとする。
【００２０】
大きいサイズの本体細条１を小さいサイズの本体細条１′上に折り返すとき、閉じ合わせるよう面ファスナを構成するループ素子およびフック素子を、それぞれ大きいサイズの本体細条および小さいサイズの本体細条の対向面に設け、横割れタイプの袋体とする。この横割れタイプの袋体は、ケーブル端子を側方から着脱するため、ケーブル端子の着脱が容易であるという利点がある
【００２１】
小さいサイズの本体細条１′における端部部分２′の図面で見て表面側には、面ファスナ４を構成するループ素子およびフック素子のうちの一方、例えば、ループ素子４ａを取り付ける。
【００２２】
また、小さいサイズの本体細条１′における端部部分２′の図面で見て表面側に、絶縁端子カバー本体よりも薄くかつ幅の狭いポリウレタン材料の絶縁シートによるストラップ片５を固着し、このストラップ片５の図面で見て裏面側には、面ファスナ４を構成するループ素子およびフック素子のうちの他方、例えば、フック素子４ｂを取り付ける。このストラップ片により、絶縁端子カバーに収納したケーブル端子の基部の周りを絞り込んで固定することができる。
【００２３】
図３に示す第３実施例においては、さらに、大きいサイズの本体細条１に、面ファスナを構成するループ素子およびフック素子のうちの一方、例えば、フック素子６ｂを設け、小さいサイズの本体細条１′に、面ファスナを構成するループ素子およびフック素子のうちの他方、例えば、ループ素子６ａを設ける。これにより、大きいサイズの本体細条１と小さいサイズの本体細条１′との間における開放した側方端縁を、大きいサイズの本体細条１によって、封じ込むことができる。
【００２４】
面ファスナは、本体細条、端部部分、ストラップ片に、それぞれ例えば、逢着により取り付ける。また図１〜図３に示す本考案による第１〜第３の実施例において、好適には、ポリウレタン材料の絶縁シート１を、蛍光着色した透明シートとする。さらに、図１〜図３に示す本考案による第１〜第３の実施例において、端部部分を台形形状としたが、他の任意の輪郭形状とすることができる。
【産業上の利用可能性】
【００２５】
本考案絶縁端子カバーは、電気工事を行う、電気設備業界、通信設備業界における設備設置現場の養生または撤去時にケーブル配線の端子に使用することができ、しかも再利用できる。
【図面の簡単な説明】
【００２６】
【図１】本考案による絶縁端子カバーの第１実施例の展開状態における絶縁端子カバー本体の平面図である。
【図２】本考案による絶縁端子カバーの第２実施例を示し、（ａ）は一方の本体細条の平面図、（ｂ）は他方の本体細条の平面図である。
【図３】本考案による絶縁端子カバーの第３実施例を示し、（ａ）は一方の本体細条の平面図、（ｂ）は他方の本体細条の平面図である。
【符号の説明】
【００２７】
１  本体細条
１′  本体細条
２  端部部分
２′  端部部分
３  スリット
４  面ファスナ
４ａ  ループ素子
４ｂ  フック素子
５  ストラップ片
６  面ファスナ
６ａ  ループ素子（面ファスナ）
６ｂ  フック素子（面ファスナ）
【図１】
0003147883.tif 000003
【図２】
0003147883.tif 000004
【図３】
0003147883.tif 000005